【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
レコーダと、電子的番組情報システムと、情報提供システムとを備え、前記レコーダを所有するユーザに有効に活用されるコンテンツ推薦データを提供する情報システムであって、
前記レコーダは、
第１の記憶装置と、
放送されるコンテンツを前記第１の記憶装置に記憶する手段と、
通信ネットワークを介して前記電子的番組情報システムから番組情報を受信し、前記第１の記憶装置に記憶する手段と、
前記ユーザの操作によって、前記放送番組を前記第１の記憶装置に記憶する録画又は予約の指示が入力装置から入力された場合、前記電子的番組情報システムに、前記録画又は予約する番組の番組ＩＤを、前記レコーダの識別子とともに、前記通信ネットワークを介して前記電子的番組情報システムに送信する手段
を備え、
前記電子的番組情報システムは、
第２の記憶装置と、
前記番組ＩＤと、当該番組に関する情報が記憶された前記番組情報を第２の記憶装置に記憶する手段と、
前記レコーダからのリクエストに基づいて、前記通信ネットワークを介して前記第２の記憶装置から番組情報を送信する手段と、
前記レコーダから受信した前記レコーダの識別子と前記番組ＩＤとを関連づけて、録画予約履歴情報として前記第２の記憶装置に記憶する手段
を備え、
前記情報提供システムは、
第３の記憶装置と、
前記電子的番組情報システムから前記番組情報及び前記録画予約履歴情報を受信し、前記第３の記憶装置に記憶する情報取得手段と、
前記第３の記憶装置から前記番組情報及び前記録画予約履歴情報を読み出すとともに、複数のレコーダから取得した録画予約履歴情報に基づいて、コンテンツ推薦データを出力するコンテンツ推薦データ出力手段
を備えることを特徴とする情報システム。
【請求項２】
前記情報提供システムのコンテンツ推薦データ出力手段は、
前記第３の記憶装置から前記番組情報及び前記録画予約履歴情報を読み出し、全てのレコーダの識別子に関連づけられた番組ＩＤを抽出し、番組ＩＤに関連づけられたレコーダの識別子の数をカウントし、ランキングデータとして前記第３の記憶装置に記憶し、前記ランキングデータに基づいた前記コンテンツ推薦データを出力する手段である
ことを特徴とする請求項１に記載の情報システム。
【請求項３】
前記情報提供システムのコンテンツ推薦データ出力手段は、
前記第３の記憶装置から前記番組情報及び前記録画予約履歴情報を読み出し、所定のレコーダの識別子に関連づけられた番組ＩＤを抽出し、前記番組情報から、抽出された番組ＩＤに関連づけられた情報を抽出して抽出された情報からキーワードを抽出し、当該レコーダの識別子と前記キーワードを関連づけてユーザキーワードデータに挿入して前記第３の記憶装置に記憶するとともに、前記第３の記憶装置から前記ユーザキーワードデータを読み出して当該レコーダの識別子に関連づけられたユーザキーワードを抽出して、抽出された前記ユーザキーワードを含む番組ＩＤを前記番組情報から抽出し、前記番組情報とマッチした前記キーワードの数に基づいて点数を出力し、前記レコーダの識別子と、前記ユーザキーワードを含む番組ＩＤと、前記点数を関連づけて自己推薦データとして前記第３の記憶装置に記憶し、前記自己推薦データに基づいた前記コンテンツ推薦データを出力する手段である
ことを特徴とする請求項１に記載の情報システム。
【請求項４】
前記情報提供システムのコンテンツ推薦データ出力手段は、
前記第３の記憶装置から前記番組情報及び前記録画予約履歴情報を読み出し、所定のレコーダの識別子に関連づけられた番組ＩＤを抽出し、前記録画予約履歴情報で抽出された番組ＩＤに関連づけられたレコーダの識別子を類似ユーザとして検索し、類似ユーザがいる場合、前記類似ユーザのレコーダの識別子に関連づけられた番組ＩＤを抽出して、前記類似ユーザ毎に類似度に基づく点数を付与し、付与された類似ユーザ毎の点数に基づいて当該類似ユーザに関連づけられた番組ＩＤに点数を付与し、前記レコーダの識別子と、前記類似ユーザが録画又は予約した番組の番組ＩＤと、前記点数を関連づけて他者推薦データとして前記第３の記憶装置に記憶し、前記他者推薦データに基づいた前記コンテンツ推薦データを出力する手段である
ことを特徴とする請求項１に記載の情報システム。
【請求項５】
レコーダを所有するユーザに、有効に活用されるコンテンツ推薦データを提供する情報提供システムであって、
記憶装置と、
番組ＩＤと、当該番組に関する情報が記憶された前記番組情報データを前記記憶装置に記憶する手段と、
前記レコーダから送信された前記レコーダの識別子と前記番組ＩＤとを関連づけて、録画予約履歴データとして前記記憶装置に記憶する手段と、
前記記憶装置から前記番組情報データ及び前記録画予約履歴データを読み出すとともに、複数のレコーダから取得した録画予約履歴データに基づいて、コンテンツ推薦データを出力するコンテンツ推薦データ出力手段
を備えることを特徴とする情報提供システム。
【請求項６】
前記コンテンツ推薦データ出力手段は、
前記記憶装置から前記番組情報データ及び前記録画予約履歴データを読み出し、全てのレコーダの識別子に関連づけられた番組ＩＤを抽出し、番組ＩＤに関連づけられたレコーダの識別子の数をカウントし、ランキングデータとして前記記憶装に記憶し、前記ランキングデータに基づいた前記コンテンツ推薦データを出力する手段である
ことを特徴とする請求項５に記載の情報提供システム。
【請求項７】
前記レコーダの識別子と、前記レコーダが位置する地域番号とを関連づけたユーザ地域データを前記記憶装置に記憶する手段を更に備え、
前記コンテンツ推薦データ出力手段は、前記記憶装置から前記番組情報データ及び前記録画予約履歴データを読み出し、所定の地域番号に関するレコーダの識別子に関連づけられた番組ＩＤを抽出し、番組ＩＤに関連づけられたレコーダの識別子の数をカウントし、前記所定の地域のランキングデータとして前記記憶装置に記憶する手段である
ことを特徴とする請求項６に記載の情報提供システム。
【請求項８】
前記番組情報データは更に、前記番組ＩＤに、前記番組ＩＤの番組が放送される地域番号が関連づけられており、
前記ユーザの操作によって、前記所定の地域のランキングデータから番組ＩＤが選択された場合、前記記憶装置から前記番組情報データと前記ユーザ地域データを読み出し、前記番組情報データから、前記ユーザによって選択された番組ＩＤの番組情報と一致し、前記レコーダが位置する地域番号に関連づけられた番組ＩＤを抽出して出力する地域指定番組検索手段
を備えることを特徴とする請求項７に記載の情報提供システム。
【請求項９】
前記コンテンツ推薦データ出力手段は、
前記記憶装置から前記番組情報データ及び前記録画予約履歴データを読み出し、所定のレコーダの識別子に関連づけられた番組ＩＤを抽出し、前記番組情報データから、抽出された番組ＩＤに関連づけられた情報を抽出して抽出された情報からキーワードを抽出し、当該レコーダの識別子と前記キーワードを関連づけてユーザキーワードデータに挿入して前記記憶装置に記憶するとともに、前記記憶装置から前記ユーザキーワードデータを読み出して当該レコーダの識別子に関連づけられたユーザキーワードを抽出して、抽出された前記ユーザキーワードを含む番組ＩＤを前記番組情報データから抽出し、前記番組情報データとマッチした前記キーワードの数に基づいて点数を出力し、前記レコーダの識別子と、前記ユーザキーワードを含む番組ＩＤと、前記点数を関連づけて自己推薦データとして前記記憶装置に記憶し、前記自己推薦データに基づいた前記コンテンツ推薦データを出力する手段である
ことを特徴とする請求項５に記載の情報提供システム。
【請求項１０】
前記コンテンツ推薦データ出力手段は、
前記記憶装置から前記番組情報データ及び前記録画予約履歴データを読み出し、所定のレコーダの識別子に関連づけられた番組ＩＤを抽出し、前記録画予約履歴データで抽出された番組ＩＤに関連づけられたレコーダの識別子を類似ユーザとして検索し、類似ユーザがいる場合、前記類似ユーザのレコーダの識別子に関連づけられた番組ＩＤを抽出して、前記類似ユーザ毎に類似度に基づく点数を付与し、付与された類似ユーザ毎の点数に基づいて当該類似ユーザに関連づけられた番組ＩＤに点数を付与し、前記レコーダの識別子と、前記類似ユーザが録画又は予約した番組の番組ＩＤと、前記点数を関連づけて他者推薦データとして前記記憶装置に記憶し、前記他者推薦データに基づいた前記コンテンツ推薦データを出力する手段である
ことを特徴とする請求項５に記載の情報提供システム。
【請求項１１】
前記番組情報データは、前記番組ＩＤに番組タイトルが関連づけられており、
前記記憶装置から前記番組情報データと前記コンテンツ推薦データを読み出して、前記コンテンツ推薦データに含まれる番組ＩＤの番組タイトルを抽出し、抽出された番組タイトルを正規化して、正規化された番組タイトル毎にコンテンツ推薦データをグルーピングして、前記記憶装置にグルーピング済みコンテンツ推薦データを出力するグルーピング手段
を更に備えることを特徴とする請求項５に記載の情報提供システム。
【請求項１２】
前記レコーダから前記コンテンツ推薦データのリクエストを受信すると、前記記憶装置からグルーピング済みコンテンツ推薦データを読み出して、前記グルーピング済みコンテンツ推薦データに含まれた番組ＩＤの放送開始日時が、リクエストを受信した日時よりも以前のデータを削除して、コンテンツ推薦情報を出力し、前記レコーダに送信する情報形成手段
を更に備えることを特徴とする請求項１１に記載の情報提供システム。
【請求項１３】
レコーダを所有するユーザに、有効に活用されるコンテンツ推薦データを提供する情報提供プログラムであって、
番組ＩＤと、当該番組に関する情報が記憶された前記番組情報データを記憶装置に記憶する手段と、
前記レコーダから送信された前記レコーダの識別子と前記番組ＩＤとを関連づけて、録画予約履歴データとして前記記憶装置に記憶する手段と、
前記記憶装置から前記番組情報データ及び前記録画予約履歴データを読み出すとともに、複数のレコーダから取得した録画予約履歴データに基づいて、コンテンツ推薦データを出力するコンテンツ推薦データ出力手段
をコンピュータに実行させることを特徴とする情報提供プログラム。
【手続補正２】
【補正対象書類名】明細書
【補正対象項目名】００１０
【補正方法】変更
【補正の内容】
【００１０】
上記課題を解決するために、本発明の第１の特徴は、レコーダと、電子的番組情報システムと、情報提供システムとを備え、レコーダのユーザに有効に活用されるコンテンツ推薦データを提供する情報システムに関する。即ち、本発明の第１の特徴に係る情報システムのレコーダは、第１の記憶装置と、放送されるコンテンツを第１の記憶装置に記憶する手段と、通信ネットワークを介して電子的番組情報システムから番組情報を受信し、第１の記憶装置に記憶する手段と、ユーザの操作によって、放送番組を第１の記憶装置に記憶する録画又は予約の指示が入力装置から入力された場合、電子的番組情報システムに、録画又は予約する番組の番組ＩＤを、レコーダの識別子とともに、通信ネットワークを介して電子的番組情報システムに送信する手段を備える。電子的番組情報システムは、第２の記憶装置と、番組ＩＤと、当該番組に関する情報が記憶された番組情報を第２の記憶装置に記憶する手段と、レコーダからのリクエストに基づいて、通信ネットワークを介して第２の記憶装置から番組情報を送信する手段と、レコーダから受信したレコーダの識別子と番組ＩＤとを関連づけて、録画予約履歴情報として第２の記憶装置に記憶する手段を備える。情報提供システムは、第３の記憶装置と、電子的番組情報システムから番組情報及び録画予約履歴情報を受信し、第３の記憶装置に記憶する情報取得手段と、第３の記憶装置から番組情報及び録画予約履歴情報を読み出すとともに、複数のレコーダから取得した録画予約履歴情報に基づいて、コンテンツ推薦データを出力するコンテンツ推薦データ出力手段を備える情報提供システムとを有する。
【手続補正３】
【補正対象書類名】明細書
【補正対象項目名】００１２
【補正方法】変更
【補正の内容】
【００１２】
ここで、情報提供システムのコンテンツ推薦データ出力手段は、詳述すると、第３の記憶装置から番組情報及び録画予約履歴情報を読み出し、全てのレコーダの識別子に関連づけられた番組ＩＤを抽出し、番組ＩＤに関連づけられたレコーダの識別子の数をカウントし、ランキングデータとして第３の記憶装置に記憶し、ランキングデータに基づいたコンテンツ推薦データを出力する手段である。コンテンツ推薦データ出力手段は、第３の記憶装置から番組情報及び録画予約履歴情報を読み出し、所定のレコーダの識別子に関連づけられた番組ＩＤを抽出し、番組情報から、抽出された番組ＩＤに関連づけられた情報を抽出して抽出された情報からキーワードを抽出し、当該レコーダの識別子とキーワードを関連づけてユーザキーワードデータに挿入して第３の記憶装置に記憶するとともに、第３の記憶装置からユーザキーワードデータを読み出して当該レコーダの識別子に関連づけられたユーザキーワードを抽出して、抽出されたユーザキーワードを含む番組ＩＤを番組情報から抽出し、番組情報とマッチしたキーワードの数に基づいて点数を出力し、レコーダの識別子と、ユーザキーワードを含む番組ＩＤと、点数を関連づけて自己推薦データとして第３の記憶装置に記憶し、自己推薦データに基づいたコンテンツ推薦データを出力する手段である。コンテンツ推薦データ出力手段は、第３の記憶装置から番組情報及び録画予約履歴情報を読み出し、所定のレコーダの識別子に関連づけられた番組ＩＤを抽出し、録画予約履歴情報で抽出された番組ＩＤに関連づけられたレコーダの識別子を類似ユーザとして検索し、類似ユーザがいる場合、類似ユーザのレコーダの識別子に関連づけられた番組ＩＤを抽出して、類似ユーザ毎に類似度に基づく点数を付与し、付与された類似ユーザ毎の点数に基づいて当該類似ユーザに関連づけられた番組ＩＤに点数を付与し、レコーダの識別子と、類似ユーザが録画又は予約した番組の番組ＩＤと、点数を関連づけて他者推薦データとして第３の記憶装置に記憶し、他者推薦データに基づいたコンテンツ推薦データを出力する手段である。
【手続補正４】
【補正対象書類名】明細書
【補正対象項目名】００１３
【補正方法】変更
【補正の内容】
【００１３】
本発明の第２の特徴は、レコーダを所有するユーザに、有効に活用されるコンテンツ推薦データを提供する情報提供システムに関する。即ち本発明の第２の特徴に係る情報提供システムは、記憶装置と、番組ＩＤと、当該番組に関する情報が記憶された番組情報データを記憶装置に記憶する手段と、レコーダから送信されたレコーダの識別子と番組ＩＤとを関連づけて、録画予約履歴データとして記憶装置に記憶する手段と、記憶装置から番組情報データ及び録画予約履歴データを読み出すとともに、複数のレコーダから取得した録画予約履歴データに基づいて、コンテンツ推薦データを出力するコンテンツ推薦データ出力手段を備える。
【手続補正５】
【補正対象書類名】明細書
【補正対象項目名】００１４
【補正方法】変更
【補正の内容】
【００１４】
ここで、コンテンツ推薦データ出力手段は、詳述すると、記憶装置から番組情報データ及び録画予約履歴データを読み出し、全てのレコーダの識別子に関連づけられた番組ＩＤを抽出し、番組ＩＤに関連づけられたレコーダの識別子の数をカウントし、ランキングデータとして記憶装置に記憶し、ランキングデータに基づいたコンテンツ推薦データを出力する手段である。又、コンテンツ推薦データ出力手段は、記憶装置から番組情報データ及び録画予約履歴データを読み出し、所定のレコーダの識別子に関連づけられた番組ＩＤを抽出し、番組情報データから、抽出された番組ＩＤに関連づけられた情報を抽出して抽出された情報からキーワードを抽出し、当該レコーダの識別子とキーワードを関連づけてユーザキーワードデータに挿入して記憶装置に記憶するとともに、記憶装置からユーザキーワードデータを読み出して当該レコーダの識別子に関連づけられたユーザキーワードを抽出して、抽出されたユーザキーワードを含む番組ＩＤを番組情報データから抽出し、番組情報データとマッチしたキーワードの数に基づいて点数を出力し、レコーダの識別子と、ユーザキーワードを含む番組ＩＤと、点数を関連づけて自己推薦データとして記憶装置に記憶し、自己推薦データに基づいたコンテンツ推薦データを出力する手段である。又、コンテンツ推薦データ出力手段は、記憶装置から番組情報データ及び録画予約履歴データを読み出し、所定のレコーダの識別子に関連づけられた番組ＩＤを抽出し、録画予約履歴データで抽出された番組ＩＤに関連づけられたレコーダの識別子を類似ユーザとして検索し、類似ユーザがいる場合、類似ユーザのレコーダの識別子に関連づけられた番組ＩＤを抽出して、類似ユーザ毎に類似度に基づく点数を付与し、付与された類似ユーザ毎の点数に基づいて当該類似ユーザに関連づけられた番組ＩＤに点数を付与し、レコーダの識別子と、類似ユーザが録画又は予約した番組の番組ＩＤと、点数を関連づけて他者推薦データとして記憶装置に記憶し、他者推薦データに基づいたコンテンツ推薦データを出力する手段である。